(57)【特許請求の範囲】
【請求項１】
感光体層が形成されたドラム素管と、
前記ドラム素管に挿通されるドラムシャフトと、
前記ドラムシャフトの両端を支持するフレームと、
前記ドラムシャフトと前記ドラム素管とを導通させる導通部材と
を備え、
前記導通部材は、前記フレーム側の第１端部と、前記第１端部とは反対側の第２端部とを有する略コイル状のバネ部材であって、
前記導通部材は、前記第２端部から前記第１端部に向けて末広がり形状に形成され、
前記第２端部は、開口を有し、
前記開口に内接する円の直径は、前記ドラムシャフトの外径より大きい、感光体ドラムユニット。
【請求項２】
前記ドラム素管の両端に取り付けられ、前記ドラム素管と導通するフランジ部材を更に備え、
前記第１端部は、前記ドラムシャフトと導通し、
前記第２端部は、前記フランジ部材と導通する、請求項１に記載の感光体ドラムユニット。
【請求項３】
前記第１端部は、前記導通部材の中心軸側に突出する突出部を有し、
前記突出部は、前記ドラムシャフトと導通する、請求項１又は請求項２に記載の感光体ドラムユニット。
【請求項４】
前記突出部は、略Ｕ字状に形成される、請求項３に記載の感光体ドラムユニット。
【請求項５】
前記突出部の先端は、前記ドラムシャフトの胴部の外周面より前記ドラムシャフトの中心軸側に突出し、
前記ドラムシャフトは、前記ドラムシャフトの先端側に向けて外径が階段状に減少する段差部を有し、
前記突出部の先端は、前記段差部によって前記フレーム側に押圧されており、前記フレーム側に撓んでいる、請求項３又は請求項４に記載の感光体ドラムユニット。
【請求項６】
前記フレームは、前記ドラム素管側の端面に凹部を有し、
前記突出部の先端が前記凹部に嵌まり込んでいる、請求項５に記載の感光体ドラムユニット。
【請求項７】
前記第１端部は、前記突出部と一体に形成される当接部を更に備え、
前記導通部材の前記当接部が前記フレームの前記ドラム素管側の端面と当接している、請求項３から請求項６のいずれか１項に記載の感光体ドラムユニット。
【請求項８】
前記当接部は、略矩形状に形成される、請求項７に記載の感光体ドラムユニット。
【請求項９】
感光体層が形成されたドラム素管と、
前記ドラム素管の両端に取り付けられ、前記ドラム素管と導通するフランジ部材と、
前記フランジ部材に回転可能に挿通されるドラムシャフトと、
前記ドラムシャフトの両端を支持するフレームと、
前記ドラムシャフトと前記ドラム素管とを導通させる導通部材と
を備え、
前記導通部材は、前記フレーム側の第１端部と、前記第１端部とは反対側の第２端部とを有する略コイル状のバネ部材であって、
前記導通部材は、前記第２端部から前記第１端部に向けて末広がり形状に形成され、
前記第１端部は、前記導通部材の中心軸側に突出する突出部と、前記突出部と一体に形成される当接部とを有し、
前記フレームは、前記当接部が当接する前記ドラム素管側の端面と、前記端面に設けられた凹部とを有し、
前記ドラムシャフトは、前記ドラムシャフトの先端側に向けて外径が階段状に減少する段差部を有し、
前記突出部の先端は、前記段差部によって前記フレーム側に押圧されて前記フレーム側に撓んで前記凹部に嵌まり込んで前記ドラムシャフトと導通しており、
前記第２端部は、開口を有し、
前記開口に内接する円の直径は、前記ドラムシャフトの外径より大きく、
前記フランジ部材は、前記第２端部と導通している、感光体ドラムユニット。
【請求項１０】
記録媒体に画像を形成する画像形成部を備え、
前記画像形成部は、請求項１から請求項９のいずれか１項に記載の感光体ドラムユニットを備える、画像形成装置。
【発明の詳細な説明】
【技術分野】
【０００１】
本発明は、感光体ドラムユニット、及び画像形成装置に関する。
【背景技術】
【０００２】
特許文献１の感光体ドラムユニットでは、導通部材がドラムシャフトとドラム素管とを導通させる。具体的には、感光体ドラムユニットは、ドラム素管、ドラムシャフト、及び導通部材を備える。導通部材は、接触部を有する。接触部は、ドラムシャフトを導通部材に挿通することによって、径方向外側に拡がってドラム素管の内周面と当接する。
【先行技術文献】
【特許文献】
【０００３】
【特許文献１】特開２００１−３５６６３８号公報
【発明の概要】
【発明が解決しようとする課題】
【０００４】
しかしながら、特許文献１に記載の感光体ドラムユニットでは、導通部材がドラムシャフトとフレームとの間に挟み込まれる可能性がある。具体的には、接触部の内周面の最小径は、ドラムシャフトの外径より小さい。よって、ドラムシャフトを導通部材に挿通するときに、接触部の最小径の位置にドラムシャフトが接触し、ドラムシャフトが導通部材に引っ掛かる可能性がある。ドラムシャフトが導通部材に引っ掛かると、導通部材がドラムシャフトと一体となってフレームに到達する。そして、導通部材がドラムシャフトとフレームとの間に挟み込まれる可能性がある。その結果、感光体ドラムユニットの組立が困難になる。
【０００５】
本発明は、上記課題に鑑みてなされたものであり、導通部材がドラムシャフトとフレームとの間に挟み込まれることを抑制できる感光体ドラムユニット、及び画像形成装置を提供することを目的としている。
【課題を解決するための手段】
【０００６】
本発明の第１局面に係る感光体ドラムユニットは、ドラム素管、フランジ部材、ドラムシャフト、フレーム、及び導通部材を備える。前記ドラム素管は、感光体層が形成されている。前記ドラムシャフトは、前記ドラム素管に挿通される。前記フレームは、前記ドラムシャフトの両端を支持する。前記導通部材は、前記ドラムシャフトと前記ドラム素管とを導通させる。前記導通部材は、前記フレーム側の第１端部と、前記第１端部とは反対側の第２端部とを有する略コイル状のバネ部材である。前記導通部材は、前記第２端部から前記第１端部に向けて末広がり形状に形成される。前記第２端部は開口を有し、前記開口に内接する円の直径は、前記ドラムシャフトの外径より大きい。
【０００７】
本発明の第２局面に係る画像形成装置は、記録媒体に画像を形成する画像形成部を備える。また、前記画像形成部は、前記感光体ドラムユニットを備える。
【発明の効果】
【０００８】
本発明の感光体ドラムユニット、及び画像形成装置によれば、導通部材がドラムシャフトとフレームとの間に挟み込まれることを抑制できる。
【図面の簡単な説明】
【０００９】
【図１】本発明の実施形態に係る画像形成装置の構成を示す図である。
【図２】本発明の実施形態に係る感光体ドラムユニットの構成を示す図である。
【図３】導通部材を示す斜視図である。
【図４】感光体ドラムユニットに配置した導通部材を示す図である。
【図５】ドラムシャフトが挿通された導通部材を示す図である。（ａ）は、斜視図である。（ｂ）は、正面図である。
【図６】樹脂フレームに装着された導通部材を示す図である。
【図７】（ａ）は、ドラムシャフトが樹脂フレームに装着される前の導通部材の断面図である。（ｂ）は、ドラムシャフトが樹脂フレームに装着されたときの導通部材の断面図である。
【発明を実施するための形態】
【００１０】
以下、本発明の実施形態について、図面（図１〜図７）を参照しながら説明する。なお、図中、同一又は相当部分については同一の参照符号を付して説明を繰り返さない。
【００１１】
まず、図１を参照して、本発明の実施形態に係る画像形成装置１００について説明する。図１は、画像形成装置１００の構成を示す図である。図１に示すように、画像形成装置１００は複合機である。画像形成装置１００は、画像形成ユニット１、画像読取ユニット２、及び原稿搬送ユニット３を備える。
【００１２】
画像形成ユニット１は、用紙Ｐ（記録媒体）に画像を形成する。画像読取ユニット２は、原稿Ｒに形成された画像を読み取り、読取画像を生成する。原稿搬送ユニット３は、原稿Ｒを画像読取ユニット２に供給する。
【００１３】
また、画像形成ユニット１は、給送カセット１１、搬送ローラー対１２、画像形成部１３、定着部１４、排出ローラー対１５、及び排出トレイ１６を備える。給送カセット１１から繰り出された用紙Ｐは、搬送ローラー対１２によって画像形成部１３まで搬送される。
【００１４】
画像形成部１３は、用紙Ｐに画像を形成する。画像形成部１３は、感光体ドラム１３１、帯電部１３２、露光部１３３、現像部１３４、及び、転写ローラー１３５を備える。感光体ドラム１３１は、円筒形の回転体であり、その周面には、静電潜像が形成される。帯電部１３２は、感光体ドラム１３１を所定の電位に帯電させる。露光部１３３は、画像データに基づきレーザー光を照射して感光体ドラム１３１の周面を露光する。その結果、画像データに応じた静電潜像が感光体ドラム１３１の周面に形成される。なお、画像データとしては、例えば、画像読取ユニット２が原稿Ｒを読み取って生成された画像データ、又は、図略の通信ネットワークを介して外部のコンピューターから受信した画像データが用いられる。
【００１５】
現像部１３４は、感光体ドラム１３１の周面に形成された静電潜像にトナーを供給して現像し、感光体ドラム１３１の周面にトナー像を形成する。転写ローラー１３５は、感光体ドラム１３１上のトナー像を用紙Ｐに転写する。
【００１６】
画像が形成された用紙Ｐは、定着部１４まで搬送される。定着部１４は、用紙Ｐを加熱及び加圧し、用紙Ｐに形成された画像を用紙Ｐに定着する。画像が定着された用紙Ｐは、排出ローラー対１５によって排出トレイ１６へ排出される。
【００１７】
次に、図１及び図２を参照して、本発明の実施形態に係る感光体ドラムユニット４について説明する。図２は、感光体ドラムユニット４の構成を示す図である。画像形成部１３は、感光体ドラムユニット４を備える。図２に示すように、感光体ドラムユニット４は、ドラム素管４１、ドラムシャフト４２、及び樹脂フレーム４３を備える。
【００１８】
ドラム素管４１は、円筒状に形成され、周面に感光体層が形成されている。ドラム素管４１の両端は開放されている。ドラム素管４１は、感光体ドラム１３１に相当する。
【００１９】
ドラムシャフト４２は、ドラム素管４１に挿通され、ドラム素管４１を回動自在に支持する。ドラムシャフト４２は、第１外径ＤＳの略円柱状に形成される。
【００２０】
樹脂フレーム４３は、ドラムシャフト４２を支持する。具体的には、ドラムシャフト４２の両端が樹脂フレーム４３に挿入され、樹脂フレーム４３は、ドラムシャフト４２の両端を支持する。樹脂フレーム４３は、「フレーム」の一例に相当する。樹脂フレーム４３は、長手方向の一方側端部に支持部４３Ａを備える。ドラムシャフト４２の一方側端部は、支持部４３Ａに支持される。
【００２１】
次に、図２及び図３を参照して、導通部材５の構成について説明する。図３は、導通部材５を示す斜視図である。図３に示すように、導通部材５は、略コイル状のバネ部材であって、第１端部５２、及び第２端部５１を備える。
【００２２】
第１端部５２は、導通部材５の樹脂フレーム４３（支持部４３Ａ）側に位置する端部である。第１端部５２は、突出部５２１及び当接部５２２を備える。突出部５２１は、導通部材５の中心軸側に突出する。また、突出部５２１は、略Ｕ字状に形成される。第１端部５２は、第１開口５２０を有する。
【００２３】
当接部５２２は、樹脂フレーム４３の支持部４３Ａのドラム素管４１側の端面と当接する。当接部５２２は、略矩形状に形成される。具体的には、当接部５２２は、略長方形状に形成される。当接部５２２と突出部５２１とは一体に形成されている。具体的には、導通部材５を構成する線状部材が折り曲げられて、当接部５２２が形成されている。また、当接部５２２の一辺の略中央部で、導通部材５を構成する線状部材が折り曲げられて、突出部５２１が形成されている。
【００２４】
第２端部５１は、第１端部５２の反対側に位置する導通部材５の端部である。導通部材５は、第２端部５１から第１端部５２に向けて末広がり形状に形成される。具体的には、導通部材５は、底面が第１端部５２に位置する略円錐台状に形成される。第２端部５１は、第２開口５１０を有する。
【００２５】
第２開口５１０に内接する円の直径Ｄ１は、図２に示すドラムシャフト４２の第１外径ＤＳより大きい。第２開口５１０は、「開口」に相当する。
【００２６】
ドラムシャフト４２は、第２開口５１０から第１開口５２０に向けて第２端部５１及び第１端部５２を挿通されて、ドラムシャフト４２の先端が樹脂フレーム４３（支持部４３Ａ）に固定される。
【００２７】
以上、図２及び図３を参照して説明したように、本発明の実施形態では、第２開口５１０に内接する円の直径Ｄ１は、ドラムシャフト４２の第１外径ＤＳより大きい。よって、ドラムシャフト４２を導通部材５の第２開口５１０から第１開口５２０に向けて挿通する際に、ドラムシャフト４２が第２端部５１に引っ掛かる可能性を抑制できる。また、導通部材５は、第２端部５１から第１端部５２に向けて末広がり形状に形成されている。したがって、ドラムシャフト４２を導通部材５の第２開口５１０から第１開口５２０に向けて挿通する際に、ドラムシャフト４２が第２端部５１と第１端部５２との間の導通部材５に引っ掛かる可能性を抑制できる。その結果、導通部材５がドラムシャフト４２と樹脂フレーム４３（支持部４３Ａ）との間に挟み込まれることを抑制できる。その結果、感光体ドラムユニット４を容易に組み立てることができる。
【００２８】
次に、図２から図４を参照して、感光体ドラムユニット４の組み立て手順について説明する。図４は、導通部材５を示す図である。図４に示すように、導通部材５は、感光体ドラムユニット４に備えられる。導通部材５の第２端部５１が、樹脂フレーム４３から離間する側に配置される。具体的には、導通部材５の第１端部５２が支持部４３Ａと当接して配置され、導通部材５の第２端部５１が樹脂フレーム４３から離間する側に配置される。
【００２９】
また、感光体ドラムユニット４は、フランジ部材４４を更に備える。フランジ部材４４は、ドラム素管４１の両端に取り付けられ、ドラム素管４１と導通する。フランジ部材４４は、孔４４１及び当接面４４２を有する。孔４４１には、ドラムシャフト４２が挿通する。当接面４４２は、孔４４１の外周に沿って円環状に形成され、導通部材５の第２端部５１が当接する。
【００３０】
次に、感光体ドラムユニット４の組み立て手順について説明する。
まず、第１端部５２が支持部４３Ａに当接するように導通部材５を支持部４３Ａに配置する。
次に、フランジ部材４４の当接面４４２を第２端部５１に当接させて、ドラム素管４１を支持部４３Ａに押圧する。その結果、導通部材５は、フランジ部材４４の当接面４４２と支持部４３Ａとの間で圧縮された状態で固定される。
そして、ドラム素管４１とフランジ部材４４の孔４４１とにドラムシャフト４２を挿通する。
更に、導通部材５に、第２開口５１０から第１開口５２０に向けてドラムシャフト４２を挿通する。
最後に、ドラムシャフト４２を支持部４３Ａに装着する。
【００３１】
次に、図２〜図５を参照して、導通部材５及びドラムシャフト４２について説明する。図５は、ドラムシャフト４２が挿通された導通部材５を示す図である。図５（ａ）は、斜視図であり、図５（ｂ）は、正面図である。図５（ａ）に示すように、ドラムシャフト４２は、胴部４２０、段差部４２１、及び先端部４２２を備える。
【００３２】
胴部４２０は、ドラムシャフト４２の軸方向の中央部に円柱状に形成される。胴部４２０は、フランジ部材４４の孔４４１に挿通され、フランジ部材４４を介してドラム素管４１を支持する。胴部４２０は、第１外径ＤＳに形成される。
【００３３】
段差部４２１は、胴部４２０と先端部４２２との間に形成される。段差部４２１では、胴部４２０から先端部４２２に向けて外径が階段状に減少する。具体的には、段差部４２１において、ドラムシャフト４２の外径が第１外径ＤＳから第２外径ＤＳ１に階段状に減少する。
【００３４】
先端部４２２は、ドラムシャフト４２の先端に形成され、先端に向けて先細り形状に形成されている。具体的には、先端部４２２では、先端に向けて直径がテーパー状に減少する。
【００３５】
突出部５２１の先端５２１ａは、段差部４２１に当接する。具体的には、突出部５２１の先端５２１ａは、ドラムシャフト４２の径方向について、第２外径ＤＳ１よりも外周側に配置され、第１外径ＤＳより内周側に配置される。その結果、導通部材５は、ドラムシャフト４２と導通する。
【００３６】
以上、図２〜図５を参照して説明したように、第１端部５２がドラムシャフト４２と導通し、第２端部５１がフランジ部材４４と導通する。よって、導通部材５が、フランジ部材４４とドラムシャフト４２とを導通させることができる。また、フランジ部材４４はドラム素管４１と導通している。その結果、導通部材５が、ドラム素管４１とドラムシャフト４２とを導通させことができる。
【００３７】
また、導通部材５が、略円錐台状に形成された略コイル状のバネ部材であるため、導通部材５をフランジ部材４４と樹脂フレーム４３の支持部４３Ａとの間に圧縮して配置できる。よって、フランジ部材４４と樹脂フレーム４３の支持部４３Ａとの間隔を狭くすることができる。したがって、感光体ドラムユニット４をコンパクトに形成できる。
【００３８】
更に、第１端部５２が導通部材５の中心軸側に突出する突出部５２１を有し、突出部５２１がドラムシャフト４２と導通するため、第１端部５２を確実にドラムシャフト４２と導通させることができる。
【００３９】
また、突出部５２１が略Ｕ字状に形成されるため、突出部５２１の先端５２１ａがドラムシャフト４２に当接した場合に、突出部５２１の先端５２１ａがドラムシャフト４２の表面を傷つけることを抑制できる。
【００４０】
次に、図２〜図７を参照して、樹脂フレーム４３の支持部４３Ａ、及び導通部材５について説明する。図６は、樹脂フレーム４３の支持部４３Ａに装着された導通部材５を示す図である。図６に示すように、支持部４３Ａは、端面４３１及び凹部４３２を備える。
【００４１】
端面４３１は、支持部４３Ａのドラム素管４１側の端面である。端面４３１は、略平面状に形成される。端面４３１には、導通部材５の第１端部５２の当接部５２２が当接する。また、導通部材５には、ドラムシャフト４２が挿通されている。そして、端面４３１には、ドラムシャフト４２の段差部４２１が当接する。
【００４２】
凹部４３２は、ドラムシャフト４２が樹脂フレーム４３の支持部４３Ａに装着されたときに、突出部５２１の先端５２１ａが嵌まり込むように形成されている。具体的には、凹部４３２は、端面４３１のうち、ドラムシャフト４２が挿入される位置と、突出部５２１に対向する位置とを含むように形成される。また、凹部４３２は、略直方体状に形成され、底面と互いに隣接する３方向の側面とで構成される。凹部４３２の幅Ｂは、第１外径ＤＳ未満で、且つ、第２外径ＤＳ１より大きい。幅Ｂは、端面４３１を含む平面に略平行で、且つ、突出部５２１とドラムシャフト４２の中心軸とを結ぶ方向に対して略直交する方向の凹部４３２の長さを示す。
【００４３】
次に、図７を参照して、ドラムシャフト４２を樹脂フレーム４３の支持部４３Ａに装着する前後の導通部材５について説明する。図７（ａ）は、ドラムシャフトが樹脂フレームに装着される前の導通部材の断面図である。図７（ｂ）は、ドラムシャフトが樹脂フレームに装着された後の導通部材の断面図である。
【００４４】
図７（ａ）に示すように、ドラムシャフト４２が支持部４３Ａに装着される前においては、導通部材５の第１端部５２が支持部４３Ａの端面４３１に当接している。突出部５２１は、端面４３１が含まれる平面上に位置している。
【００４５】
図７（ｂ）に示すように、ドラムシャフト４２が支持部４３Ａに装着された後においては、導通部材５の第１端部５２の当接部５２２は、端面４３１に押圧されている。ドラムシャフト４２の段差部４２１は、端面４３１に当接している。また、突出部５２１は、ドラムシャフト４２の段差部４２１によって、凹部４３２に押し込まれている。導通部材５は、フランジ部材４４の当接面４４２と、支持部４３Ａの端面４３１との間で圧縮されている。
【００４６】
以上、図２〜図７を参照して説明したように、突出部５２１の先端５２１ａは、ドラムシャフト４２の胴部４２０の外周面よりドラムシャフト４２の中心軸側に突出する。また、ドラムシャフト４２は、その外径が先端部４２２側に向けて階段状に減少する段差部４２１を有する。そして、ドラムシャフト４２が樹脂フレーム４３の支持部４３Ａに装着されているときには、突出部５２１の先端５２１ａは、段差部４２１によって支持部４３Ａ側に押圧されており、支持部４３Ａ側に撓んでいる。よって、突出部５２１の先端５２１ａが段差部４２１に押圧されているため、突出部５２１の先端５２１ａと段差部４２１とを確実に導通できる。したがって、導通部材５とドラムシャフト４２とを確実に導通できる。
【００４７】
第１端部５２は、突出部５２１と一体に形成される当接部５２２を更に備える。また、当接部５２２は、支持部４３Ａのドラム素管４１側の端面４３１と当接している。よって、当接部５２２が支持部４３Ａに固定される。一方、第２端部５１はフランジ部材４４に当接される。したがって、導通部材５をフランジ部材４４と支持部４３Ａとの間に固定できる。その結果、ドラム素管４１が回転するときに、導通部材５の連れ回りを抑制できる。更に、導通部材５の連れ回りによる摺動音の発生を抑制できる。
【００４８】
また、樹脂フレーム４３の支持部４３Ａは、ドラム素管４１側の端面４３１に凹部４３２を有する。また、ドラムシャフト４２が支持部４３Ａに装着されているときには、突出部５２１の先端５２１ａが凹部４３２に嵌まり込んでいるため、突出部５２１が凹部４３２の位置に固定される。一方、ドラム素管４１の端面には、フランジ部材４４が装着され、フランジ部材４４の当接面４４２には、導通部材５の第２端部５１が当接する。よって、ドラム素管４１が回転するときには、当接面４４２を介して導通部材５を回転する力が付与される。しかしながら、突出部５２１が凹部４３２の位置に固定されため、ドラム素管４１が回転するときに、導通部材５の連れ回りを確実に抑制できる。したがって、導通部材５の連れ回りによる摺動音の発生を確実に抑制できる。
【００４９】
また、当接部５２２は、略矩形状に形成される。よって、支持部４３Ａの端面４３１に、略矩形状の当接部５２２が当接するため、導通部材５は、支持部４３Ａの端面４３１に対して直立した姿勢から傾斜し難い。したがって、導通部材５を支持部４３Ａに確実に固定できる。したがって、ドラム素管４１が回転するときに、導通部材５の連れ回りを更に確実に抑制できる。
【００５０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５１】
（１）図３を参照して説明したように、導通部材５は、底面が第１端部５２に位置する略円錐台状に形成されるが、本発明はこれに限定されない。導通部材５は、第２端部５１から第１端部５２に向けて末広がり形状に形成される形態であればよい。例えば、導通部材５は、第２端部５１から第１端部５２に向けてステップ状に直径が拡がるように形成される形態でもよい。また、例えば、導通部材５は、底面が第１端部５２に位置する略多角形台状（例えば、４角形台状）に形成される形態でもよい。
【００５２】
（２）図３を参照して説明したように、導通部材５の第１端部５２は、ドラムシャフト４２と導通する突出部５２１を有するが、本発明はこれに限定されない。第１端部５２がドラムシャフト４２と導通するように構成されている形態であればよい。例えば、導通部材５を構成する線状部材の第１端部５２側の端部が、ドラムシャフト４２と導通するように、導通部材５の中心軸側に曲折されている形態でもよい。
【００５３】
（３）図３を参照して説明したように、突出部５２１は、略Ｕ字状に形成されるが、本発明はこれに限定されない。突出部５２１は、導通部材５の中心軸側に突出する形態であればよい。例えば、突出部５２１が、略Ｖ字状に形成される形態でもよい。
【００５４】
（４）図４を参照して説明したように、導通部材５の第２端部５１は、フランジ部材４４と導通するが、本発明はこれに限定されない。第２端部５１がドラム素管４１に導通するように構成されている形態であればよい。例えば、第２端部５１の少なくとも一部がドラム素管４１の内周面に当接する形態でもよい。具体的には、導通部材５を構成する線状部材の第２端部５１側の端部が、ドラム素管４１の内周面に当接するように、導通部材５の中心軸と反対側に曲折されている形態でもよい。
【００５５】
（５）図５を参照して説明したように、樹脂フレーム４３（支持部４３Ａ）は、ドラム素管４１側の端面４３１に凹部４３２を有するが、本発明はこれに限定されない。樹脂フレーム４３（支持部４３Ａ）のドラム素管４１側の端面４３１に、突出部５２１の先端５２１ａが嵌まり込む空間があればよい。例えば、樹脂フレーム４３（支持部４３Ａ）が、突出部５２１の先端５２１ａと対向する側の端面４３１を有さない形態でもよい。具体的には、樹脂フレーム４３（支持部４３Ａ）の端面４３１が、ドラムシャフト４２の段差部４２１を支持する位置にだけ形成されている形態でもよい。
【００５６】
（６）図６を参照して説明したように、導通部材５の当接部５２２は略矩形状に形成されるが、本発明はこれに限定されない。導通部材５の当接部５２２が、樹脂フレーム４３（支持部４３Ａ）の端面４３１に当接する形態であればよい。導通部材５の当接部５２２が、端面４３１と平行な面を有する板状（又は、帯状）に形成される形態でもよい。
【産業上の利用可能性】
【００５７】
本発明は、感光体ドラムユニット、及び画像形成装置に関するものであり、産業上の利用可能性を有する。
【符号の説明】
【００５８】
１００    画像形成装置
１    画像形成ユニット
１３    画像形成部
１３１    感光体ドラム
２    画像読取ユニット
３    原稿搬送ユニット
４    感光体ドラムユニット
４１    ドラム素管
４２    ドラムシャフト
４２０    胴部
４２１    段差部
４２２    先端部
４３    樹脂フレーム
４３Ａ    支持部
４３１    端面
４３２    凹部
４４    フランジ部材
４４１    孔
４４２    当接面
５    導通部材
５１    第２端部
５１０    第２開口（開口）
５２    第１端部
５２０    第１開口
５２１    突出部
５２１ａ    先端
５２２    当接部
【図１】
0006512180.tif 000002
【図２】
0006512180.tif 000003
【図３】
0006512180.tif 000004
【図４】
0006512180.tif 000005
【図５】
0006512180.tif 000006
【図６】
0006512180.tif 000007
【図７】
0006512180.tif 000008